(57)【特許請求の範囲】
【請求項１】
左右側枠（８ａ，８ｂ）で囲んだ荷台（５）を有する運搬車（１）の側部に、引抜搬送装置（１３）を設けた引抜作業車（３）を並設し、引抜作業車（３）の引抜搬送装置（１３）で引き抜いた根菜を引抜作業車（３）の後部から横送りする横搬送装置（４）を運搬車（１）と引抜作業車（３）に着脱可能に連結して、運搬車（１）と共に引抜作業車（３）を走行させる作物収穫作業機。
【請求項２】
横搬送装置（４）の横送り途中に茎葉切断刃（１９）を設けた請求項１に記載の作物収穫作業機。
【請求項３】
横搬送装置（４）の運搬車（１）側の水平フレーム（１５）と引抜作業車（３）側の傾斜フレーム（１６）を枢支軸（１７）で屈曲可能に連結すると共に、傾斜フレーム（１６）を固定側傾斜フレーム（１６ｂ）と固定側傾斜フレーム（１６ｂ）に対して伸縮する可動側傾斜フレーム（１６ａ）としたことを特徴とする請求項１または請求項２のいずれか１項に記載の作物収穫作業機。
【請求項４】
横搬送装置（４）の水平フレーム（１５）を昇降可能に運搬車（１）側へ支持したことを特徴とする請求項１から請求項３のいずれか１項に記載の作物収穫作業機。
【請求項５】
傾斜フレーム（１６）の固定側傾斜フレーム（１６ｂ）と可動側傾斜フレーム（１６ａ）をダンパ（２２）で伸縮可能に連結したことを特徴とする請求項１から請求項４のいずれか１項に記載の作物収穫作業機。
【請求項６】
引抜作業車（３）の引抜搬送装置（１３）の終端下部に横搬送装置（４）の始端を位置し、根菜類を引抜搬送装置（１３）から引き継いで横搬送装置（４）に移載する軟質の引継ガイド（２３）を設けたことを特徴とする請求項１から請求項５のいずれか１項に記載の作物収穫作業機。
【請求項７】
横搬送装置（４）の始端側で引抜作業車（３）に補助椅子（１４）を設けたことを特徴とする請求項１から請求項６のいずれか１項に記載の作物収穫作業機。
【請求項８】
横搬送装置（４）の搬送ベルト（１８）に根菜類を挟み込む突条（１８ｃ）を設け、引継ガイド（２３）で根菜類を各突条（１８ｃ）間に誘導することを特徴とする請求項６に記載の作物収穫作業機。
【発明の詳細な説明】
【技術分野】
【０００１】
本発明は、大根や株や生姜や金時ニンジン等の根菜類を収穫する作物収穫作業機に関する。
【背景技術】
【０００２】
圃場に植生する根菜類を収穫する作物収穫作業機が下記の特許文献１と特許文献２に記載されている。
特許文献１には、収穫した大根を搬送する搬送コンベアと、搬送途中に大根の茎葉部を切断除去する茎葉除去装置を備えた自走式の収穫補助作業機が開示されている。
【０００３】
これにより、作業者は圃場から掘り取った大根を搬送コンベアに載置すれば、大根は搬送途中で茎葉部を除去されて、収穫補助作業機に設ける収容コンテナに投入されるので、大根の収穫作業が容易になり、作業者が大根の茎葉部を手作業で除去する必要がなくなって、省力化が図られる。
【０００４】
特許文献２には、圃場に植生する大根の茎葉部を挟持して引き抜き、その大根を圃場の引き抜き跡に落下放置することで、作業者が力を要する引き抜き作業を行わなくてよい引抜補助作業機が記載されている。
【先行技術文献】
【特許文献】
【０００５】
【特許文献１】特開平１１−５６０５７号公報
【特許文献２】特許第５０４５５３０号公報
【発明の概要】
【発明が解決しようとする課題】
【０００６】
しかしながら、特許文献１の自走式収穫補助作業機は、自走式の走行車体上に設置され、伝動機構や油圧回路が接続された一体構成であるので、大根等根菜類作物の収穫作業のみに使用され、他の農作業では使用できない。
【０００７】
特許文献２の引抜補助作業機では、作業者が圃場から大根を引き抜く重作業が不要になるが、引抜作業後に前記特許文献１に記載の収穫補助作業機を走行させて搬送コンベアに手作業で大根を積み込む必要があり、十分な省力化に繋がらない問題がある。
【０００８】
また、大根の引抜作業と収穫補助作業機への移動を同時に行うときは、最低でも両方の作業機を操作する人員と大根を回収して運ぶ人員が必要になると共に、引抜作業機と収穫補助作業機の移動速度を調節する必要があり、作業が煩雑になる問題がある。
【０００９】
本発明は、根菜類の引き抜きと収穫運搬作業を少人数で行えると共に、根菜類の運搬だけでなく一般的な農作業における運搬作業にも使える作物収穫作業機とすることを課題とする。
【課題を解決するための手段】
【００１０】
上記本発明の課題は、次の技術手段により解決される。
請求項１に記載の発明は、左右側枠（８ａ，８ｂ）で囲んだ荷台（５）を有する運搬車（１）の側部に、引抜搬送装置（１３）を設けた引抜作業車（３）を並設し、引抜作業車（３）の引抜搬送装置（１３）で引き抜いた根菜を引抜作業車（３）の後部から横送りする横搬送装置（４）を運搬車（１）と引抜作業車（３）に着脱可能に連結して、運搬車（１）と共に引抜作業車（３）を走行させる作物収穫作業機とする。
【００１１】
請求項２に記載の発明は、横搬送装置（４）の横送り途中に茎葉切断刃（１９）を設けた請求項１に記載の作物収穫作業機とする。
請求項３に記載の発明は、横搬送装置（４）の運搬車（１）側の水平フレーム（１５）と引抜作業車（３）側の傾斜フレーム（１６）を枢支軸（１７）で屈曲可能に連結すると共に、傾斜フレーム（１６）を固定側傾斜フレーム（１６ｂ）と固定側傾斜フレーム（１６ｂ）に対して伸縮する可動側傾斜フレーム（１６ａ）としたことを特徴とする請求項１または請求項２のいずれか１項に記載の作物収穫作業機とする。
【００１２】
請求項４に記載の発明は、横搬送装置（４）の水平フレーム（１５）を昇降可能に運搬車（１）側へ支持したことを特徴とする請求項１から請求項３のいずれか１項に記載の作物収穫作業機とする。
【００１３】
請求項５に記載の発明は、傾斜フレーム（１６）の固定側傾斜フレーム（１６ｂ）と可動側傾斜フレーム（１６ａ）をダンパ（２２）で伸縮可能に連結したことを特徴とする請求項１から請求項４のいずれか１項に記載の作物収穫作業機とする。
【００１４】
請求項６に記載の発明は、引抜作業車（３）の引抜搬送装置（１３）の終端下部に横搬送装置（４）の始端を位置し、根菜類を引抜搬送装置（１３）から引き継いで横搬送装置（４）に移載する軟質の引継ガイド（２３）を設けたことを特徴とする請求項１から請求項５のいずれか１項に記載の作物収穫作業機とする。
【００１５】
請求項７に記載の発明は、横搬送装置（４）の始端側で引抜作業車（３）に補助椅子（１４）を設けたことを特徴とする請求項１から請求項６のいずれか１項に記載の作物収穫作業機とする。
【００１６】
請求項８に記載の発明は、横搬送装置（４）の搬送ベルト（１８）に根菜類を挟み込む突条（１８ｃ）を設け、引継ガイド（２３）で根菜類を各突条（１８ｃ）間に誘導することを特徴とする請求項６に記載の作物収穫作業機とする。
【発明の効果】
【００１７】
請求項１に記載の発明で、広い圃場での根菜類の収穫時には、引抜作業車（３）の引抜搬送装置（１３）で引き抜いた根菜類を横搬送装置（４）で運搬車（１）の荷台（５）に積み込み、掘り取りと運搬の作業を同時に行えて効率的収穫作業が行える。
【００１８】
また、狭い圃場では、引抜作業車（３）を単独で使用することで、根菜の掘り取りを人手に頼らずに行え、収穫作業を行わない場合は、運搬車（１）を単独で使用して農産物の運搬作業に使える。
【００１９】
これにより、作物収穫作業機を広い圃場や狭い圃場で幅広く使え、作物収穫作業機を構成する運搬車（１）が運搬用としてオールシーズン使用出来る。
請求項２に記載の発明で、請求項１の効果に加えて、根菜類が横搬送装置（４）で送られる途中に茎葉切断刃（１９）で不要の茎葉が切り落とされるために、運搬車（１）に乗せられる根菜類が多くなって、効率的な収穫作業となる。
【００２０】
請求項３に記載の発明で、請求項１または請求項２の効果に加えて、横搬送装置（４）で引抜作業車（３）側から送られる根菜類が運搬車（１）側の水平フレーム（１５）で高く持ち上げられず、水平搬送される間に補助作業者が根菜類を選別することも可能で、運搬車（１）と引抜作業車（３）の間隔が変動しても傾斜フレーム（１６）の可動側傾斜フレーム（１６ａ）が固定側傾斜フレーム（１６ｂ）に対して伸縮して横搬送装置（４）に無理な捩りや引張り力が加わって破損することが防止される。
【００２１】
請求項４に記載の発明で、請求項１から請求項３のいずれか１項の効果に加えて、運搬車（１）に対して引抜作業車（３）が大きく昇降しても水平フレーム（１５）が運搬車（１）に対して昇降することで横搬送装置（４）に加わる負荷を逃がして破損することが防止される。
【００２２】
請求項５に記載の発明で、請求項１から請求項４の効果に加えて、運搬車（１）と引抜作業車（３）の位置変動に伴う振動をダンパ（２２）で少なくして、搬送中の根菜類が跳ねて圃場に落下することを防止できる。
【００２３】
請求項６に記載の発明で、請求項１から請求項５のいずれか１項の効果に加えて、引抜搬送装置（１３）から横搬送装置（４）へ軟質の引継ガイド（２３）で根菜類が損傷しないように移載される。
【００２４】
請求項７に記載の発明で、請求項１から請求項６のいずれか１項の効果に加えて、補助椅子（１４）に座る補助作業者が引抜搬送装置（１３）から横搬送装置（４）への根菜類の引継状況の監視と姿勢修正や根菜そのもののでき具合を観察して選別する等の作業を行える。
【００２５】
請求項８に記載の発明で、請求項６の効果に加えて、横搬送装置（４）で搬送される根菜類が突条（１８ｃ）で挟まれて滑り落ちることなく、整然と運搬車（１）側へ搬送される。
【図面の簡単な説明】
【００２６】
【図１】作物収穫作業機の平面図である。
【図２】作物収穫作業機の背面図である。
【発明を実施するための形態】
【００２７】
以下、本発明の作物収穫作業機の実施形態として、図面に示す大根収穫機の実施例を説明する。なお、本明細書において大根収穫機の前進方向に向かって左右方向をそれぞれ左、右といい、前進方向を前、後進方向を後という。
【００２８】
大根収穫機は、前輪（図示省略）と後輪２の四輪で走行する運搬車１とこの運搬車１の側部に設ける引抜作業車３と、引抜作業車３後部から運搬車１の荷台５に亘って取り外し可能に取り付ける横搬送装置４で構成している。
【００２９】
運搬車１は、機体の前部に座席６と操縦ハンドル７を設け、作業車が座って操縦操作を行うようにしている。機体後部の荷台５は、平坦な積載面９を有し、積載面９の左右に左右側枠８ａ，８ｂを後側に後枠８ｃを立設している。
【００３０】
引抜作業車３は、左右後輪１１，１１を設けた機体後部の機台１０から前方に延設した引抜搬送装置１３を設け、引抜搬送装置１３の前端側部で前記後輪１１の前方位置にゲージ輪１２を弾性的に設けている。このゲージ輪１２は、使用しない場合には引抜搬送装置１３の下部に折り畳み収納するようにする。
【００３１】
引抜搬送装置１３は、前後方向に張設した左右挟持搬送ベルト１３ａ，１３ｂで大根の茎葉を挟持して後方へ送り揚げながら大根を圃場から引き抜く作用をする。なお、図示を省略するが、引抜搬送装置１３の前側には、大根の茎葉を挟持位置に誘導するために軟質材で茎葉ガイドを設ける。
【００３２】
また、機台１０には、補助椅子１４を水平回動可能に設け、補助作業者が座って引抜搬送装置１３から横搬送装置４に移される大根を調整する作業を行えるようにしている。
横搬送装置４は、荷台５の左側枠８ａに上下伸縮する支持脚２１で着脱可能に取り付ける水平フレーム１５と、この水平フレーム１５に枢支軸１７で枢支して引抜作業車３の機台１０上で引抜搬送装置１３の終端下部に上下動可能に取り付けた傾斜フレーム１６で構成し、前後方向の突条１８ｃを等間隔で設ける搬送ベルト１８を運搬車１側の駆動ローラ１８ｂと引抜作業車３側の従動ローラ１８ａに巻き掛けて、水平フレーム１５側に設けるモータ２０で搬送ベルト１８の上側が荷台５に向けて移動するように駆動するようにしている。
【００３３】
傾斜フレーム１６は、固定側傾斜フレーム１６ｂと可動側傾斜フレーム１６ａをダンパ２２で伸縮するようにして、運搬車１と引抜作業車３の間隔変動に伴って可動側傾斜フレーム１６ａが伸縮するようにしている。
【００３４】
また、引抜搬送装置１３の終端下部には、大根を受けて搬送ベルト１８の突条１８ｃ間に横たえる軟質の引継ガイド２３を設けている。
また、横搬送装置４の後側で左右中間部には、上下で対抗して回転する円盤回転刃１９を設けて、搬送ベルト１８で横送りされる大根の茎葉を圃場へ切り落とすようにしている。
【００３５】
大根の収穫作業時には、運搬車１と引抜作業車３と横搬送装置４を一体的に組み付けて、引抜搬送装置１３を大根の植付条に合わせて運搬車１を走行する。すると、引抜搬送装置１３で大根の茎葉が挟持されて走行に伴って引き抜かれて引抜搬送装置１３から引継ガイド２３で搬送ベルト１８上に横たえられて搬送ベルト１８の送り作用で運搬車１側に送られ、途中の円盤回転刃１９で茎葉が切り落とされる。横搬送装置４の終端部に送られた大根は、積載面９に搭乗する補助作業員が受け取って、荷台５の積載面９に並べて積載する。
【００３６】
圃場が狭い場合には、引抜作業車３を横搬送装置４から取り外して、引抜作業車３に操縦ハンドルを取り付け、大根の引き抜き作業に使用する。
また、運搬車１は、横搬送装置４と引抜作業車３を取り外すことで、通常の運搬作業に使用出来るようになる。
【符号の説明】
【００３７】
１  運搬車
３  引抜作業車
４  横搬送装置
５  荷台
８ａ  左側枠
８ｂ  右側枠
１３  引抜搬送装置
１５  水平フレーム
１６ａ  可動側傾斜フレーム
１６ｂ  固定側傾斜フレーム
１８  搬送ベルト
１８ｃ  突条
１９  茎葉切断刃
２２  ダンパ
２３  引継ガイド
【図１】
0006358061.tif 000002
【図２】
0006358061.tif 000003